(57)【要約】【課題】通信端末を介してネットワークと通信する様々な種別のプライベート端末の通信に対して適切なポリシ制御を行う。【解決手段】一例において、通信システムは、プライベート端末と接続し、プライベート端末と接続先ネットワークとの間のデータを転送する通信端末と、通信端末と接続先ネットワークとの間に位置し、プライベート端末のデータ通信のためのコネクションを通信端末と確立し、コネクションの通信ポリシを制御する、ポリシ制御システムとを含む。通信端末は、ポリシ制御システムに、コネクションを使用している接続中のプライベート端末の種別を示す種別情報と、ポリシ更新要求と、を送信する。ポリシ制御システムは、ポリシ更新要求を受信すると、通信ポリシ管理情報を参照して、種別情報に基づきコネクションに適用する更新後の通信ポリシを決定する。【選択図】図１
2015005849.tif 000002
【特許請求の範囲】
【請求項１】
プライベート端末と接続し、前記プライベート端末と前記プライベート端末の接続先ネットワークとの間のデータを転送する通信端末と、
前記通信端末と前記接続先ネットワークとの間に位置し、前記プライベート端末のデータ通信のためのコネクションを前記通信端末と確立し、前記コネクションの通信ポリシを制御する、ポリシ制御システムと、
を含む通信システムであって、
前記通信端末は、前記ポリシ制御システムに、前記コネクションを使用している接続中のプライベート端末の種別を示す種別情報と、ポリシ更新要求と、を送信し、
前記ポリシ制御システムは、
端末種別と通信ポリシとの間の関係を管理する通信ポリシ管理情報を有し、
前記ポリシ更新要求を受信すると、前記通信ポリシ管理情報を参照して、前記種別情報に基づき前記コネクションに適用する更新後の通信ポリシを決定する、通信システム。
【請求項２】
請求項１に記載の通信システムであって、
前記通信装置は、
前記コネクションにおいて接続中の複数種別のプライベート端末のデータを通信し、
前記種別情報は、前記複数種別のそれぞれを示し、
前記ポリシ制御システムは、前記通信ポリシ管理情報において、前記複数種別に基づき、前記コネクションに適用する通信ポリシと決定する、通信システム。
【請求項３】
請求項２に記載の通信システムであって、
前記ポリシ制御システムは、前記複数種別から一つの種別を選択し、
前記通信ポリシ管理情報において前記選択した種別に関連付けられている通信ポリシを、前記コネクションに適用する通信ポリシと決定する、通信システム。
【請求項４】
請求項３に記載の通信システムであって、
前記選択される一つの種別は、前記種別において最も多くのＱｏＳリソースを要求する種別である、通信システム。
【請求項５】
請求項１又は２に記載の通信システムであって、
前記通信端末は、前記コネクションの接続中プライベート端末に変更があった場合、予め定められている条件が満たされた後に、前記ポリシ更新要求を送信する、通信システム。
【請求項６】
請求項５に記載の通信システムであって、
前記通信端末は、プライベート端末の接続／切断からの経過時間が予め定められた条件を満たした後に、前記ポリシ更新要求を送信する、通信システム。
【請求項７】
請求項５に記載の通信システムであって、
前記通信端末は、前回のポリシ更新要求からの、前記コネクションを使用している接続中プライベート端末の構成変化が、予め定められた条件を満たした後に、前記ポリシ更新要求を送信する、通信システム。
【請求項８】
請求項１から４のいずれか一項に記載の通信システムであって、
前記種別情報が、前記通信ポリシ管理情報におけるいずれの端末種別も示していない場合、前記ポリシ制御システムは、予め定められているデフォルトポリシを前記コネクションに適用することを決定する、通信システム。
【請求項９】
請求項１から４のいずれか一項に記載の通信システムであって、
前記ポリシ制御システムは、前記通信端末との間において前記コネクションを確立するゲートウェイと、ポリシ管理装置とを含み、
前記ゲートウェイは、前記コネクションのポリシ制御において前記ポリシ管理装置との連携が定義されていると判定すると、前記通信端末から受信した種別情報と、ポリシ更新要求と、を前記ポリシ管理装置に送信し、
前記ポリシ管理装置は、前記通信ポリシ管理情報を参照して、前記種別情報に基づき前記コネクションに適用する更新後の通信ポリシを決定し、当該通信ポリシの情報を含む応答データを前記ゲートウェイに送信し、
前記ゲートウェイは、前記応答データが示す前記通信ポリシを前記コネクションに適用する、通信システム。
【請求項１０】
プライベート端末と接続し、前記プライベート端末と前記プライベート端末の接続先ネットワークとの間のデータを転送する通信端末と、
前記通信端末と前記接続先ネットワークとの間に位置し、前記プライベート端末のデータ通信のためのコネクションを前記通信端末と確立し、前記コネクションの通信のポリシを制御する、ポリシ制御システムと、を含む通信システムにおける、通信ポリシ制御方法であって、
前記ポリシ制御システムが、前記コネクションを使用している接続中のプライベート端末の種別を示す種別情報と、ポリシ更新要求とを、前記通信端末から受信し、
前記ポリシ制御システムが、端末種別と通信ポリシとの間の関係を管理する通信ポリシ管理情報を参照して、前記種別情報に基づき前記コネクションに適用する更新後の通信ポリシを決定する、通信ポリシ制御方法。
【発明の詳細な説明】
【技術分野】
【０００１】
本発明は、通信システム及び通信ポリシ制御方法に関する。
【背景技術】
【０００２】
３ＧＰＰ（Ｔｈｅ  Ｔｈｉｒｄ  Ｇｅｎｅｒａｔｉｏｎ  Ｐａｒｔｎｅｒｓｈｉｐ  Ｐｒｏｊｅｃｔ）で規定される無線系ネットワークにおけるポリシ制御のフレームワークでは、無線端末が接続する外部ＩＰネットワークであるＰＤＮ（Ｐａｃｋｅｔ  Ｄａｔａ  Ｎｅｔｗｏｒｋ）単位、あるいは無線端末に提供／無線端末が要求するサービス単位に、ゲートウェイがポリシ制御装置に接続するか否かの判定を行う。
【０００３】
ゲートウェイがポリシ制御装置に接続すると判定した場合には、ゲートウェイが接続するポリシ制御装置を選択し、ゲートウェイ又はポリシ制御装置がポリシを決定する。また、ゲートウェイ又はポリシ制御装置がアクセスネットワークの種別に基づきポリシを決定することもできる。
【０００４】
一方、ＢＢＦ（ＢｒｏａｄＢａｎｄ  Ｆｏｒｕｍ）で規定される固定ネットワークについてもポリシ制御のフレームワークが存在する。そこで無線ネットワークと固定ネットワークの両方を持つオペレータのＣＡＰＥＸ（Ｃａｐｉｔａｌ  Ｅｘｐｅｎｄｉｔｕｒｅ）とＯＰＥＸ（Ｏｐｅｒａｔｉｎｇ  Ｅｘｐｅｎｓｅ）の削減のために、３ＧＰＰとＢＢＦにおいて、３ＧＰＰのポリシ制御フレームワークに基づいたポリシ制御フレームワークの統合（３ＧＰＰ網に集約）に向けた議論が行われている。
【０００５】
３ＧＰＰのポリシ制御については、例えば、非特許文献１及び非特許文献２に記載されている。しかし、非特許文献１及び２は、通信端末として３ＧＰＰ規定の無線端末のみを考慮している。これらは、固定ネットワークを含む通信システムにおけるポリシ制御方法を、具体的に記載していない。
【０００６】
また、従来の通信技術において、通信ネットワークに接続中の１つの通信端末の下流に、当該通信端末のテザリング機能や当該通信端末に割り当てられるＩＰｖ６プレフィックス等によってプライベート網を構成することが知られている。他の通信端末（以下においてプライベート端末と呼ぶ）は、プライベート網に接続し、通信端末を介して接続先のネットワークと通信することができる。例えば、通信端末は３ＧＰＰ規定に従ってコネクションを確立し、当該コネクションによってプライベート端末のデータを通信する。
【先行技術文献】
【非特許文献】
【０００７】
【非特許文献１】3GPP TS 23.401 V11.4.0 (2012-12), 5.3.2 Attach Procedure, 5.10.2 UE requested PDN connectivity
【非特許文献２】3GPP TS 23.402 V11.5.0 (2012-12), 5.2 Initial E-UTRAN Attach with PMIP-based S5 or S8, 5.6.1 UE requested PDN connectivity, 6.2 Initial Attach on S2a, 6.8 UE-initiated Connectivity to Additional PDN
【発明の概要】
【発明が解決しようとする課題】
【０００８】
しかし、従来の通信ネットワークは、プライベート端末の種別を知ることができず、プライベート端末のデータ通信に対して適切なポリシ制御を行うことができない。このため、プライベート端末のデータ通信におけるサービス品質が低下し得る。従って、様々な種別のプライベート端末の通信に対して適切なポリシ制御を行うことができる技術が望まれる。
【課題を解決するための手段】
【０００９】
本発明の一態様は、プライベート端末と接続し、前記プライベート端末と前記プライベート端末の接続先ネットワークとの間のデータを転送する通信端末と、前記通信端末と前記接続先ネットワークとの間に位置し、前記プライベート端末のデータ通信のためのコネクションを前記通信端末と確立し、前記コネクションの通信ポリシを制御する、ポリシ制御システムと、を含む通信システムである。前記通信端末は、前記ポリシ制御システムに、前記コネクションを使用している接続中のプライベート端末の種別を示す種別情報と、ポリシ更新要求と、を送信する。前記ポリシ制御システムは、端末種別と通信ポリシとの間の関係を管理する通信ポリシ管理情報を有し、前記ポリシ更新要求を受信すると、前記通信ポリシ管理情報を参照して、前記種別情報に基づき前記コネクションに適用する更新後の通信ポリシを決定する。
【発明の効果】
【００１０】
本発明の一態様によれば、通信端末を介してネットワークと通信する様々な種別のプライベート端末の通信に対して適切なポリシ制御を行うことができる。
【図面の簡単な説明】
【００１１】
【図１】通信システムの構成例を示す。
【図２】通信端末の構成例のブロック図を示す。
【図３】ゲートウェイブの構成例のブロック図を示す。
【図４】ＰＣＲＦの構成例のブロック図を示す。
【図５】ポリシ更新待ち合わせ機能オフの通信端末へのプライベート端末接続のコールフローの例を示す。
【図６】通信端末が保持する接続中プライベート端末管理テーブルの例を示す。
【図７】通信端末による制御処理フローＡの処理のフローチャート例を示す。
【図８】ゲートウェイによる制御処理フローＢの処理のフローチャート例を示す。
【図９】ゲートウェイが保持する接続中セッション管理テーブルの例を示す。
【図１０】ゲートウェイが保持する接続中セッション管理テーブルの例を示す。
【図１１】ＰＣＲＦによる制御処理フローＣの処理のフローチャート例を示す。
【図１２】ＰＣＲＦが保持する接続中セッション管理テーブルの例を示す。
【図１３】ＰＣＲＦが保持する接続中セッション管理テーブルの例を示す
【図１４】ポリシ管理テーブルの例を示す。
【図１５】ＱｏＳ管理テーブルの例を示す。
【図１６】課金管理テーブルの例を示す。
【図１７】ポリシ更新待ち合わせ機能オンの通信端末へのプライベート端末接続のコールフローの例を示す。
【図１８】通信端末が保持する接続中プライベート端末管理テーブルの例を示す。
【図１９】ゲートウェイによる制御処理フローＤの処理のフローチャート例を示す。
【図２０】ゲートウェイが保持する接続中セッション管理テーブルの例を示す。
【図２１】ＰＣＲＦによる制御処理フローＥの処理のフローチャート例を示す。
【図２２】ＰＣＲＦが保持する接続中セッション管理テーブルの例を示す。
【図２３】ポリシ更新待ち合わせ機能オンの通信端末からのプライベート端末切断のコールフローの例を示す。
【図２４】通信端末による制御処理フローＦの処理のフローチャート例を示す。
【図２５】ポリシ更新待ち合わせ機能オフの通信端末からのプライベート端末切断のコールフローの例を示す。
【発明を実施するための形態】
【００１２】
以下、添付図面を参照して本発明の実施形態を説明する。本実施形態は本発明を実現するための一例に過ぎず、本発明の技術的範囲を限定するものではないことに注意すべきである。各図において共通の構成については同一の参照符号が付されている。
【００１３】
本実施形態は、通信におけるポリシ制御に関する。通信ポリシは、例えば、ＱｏＳポリシ、セキュリティポリシ、課金ポリシ、サービスポリシの内の１又は複数を含む。本実施形態の一例は、通信ネットワークにおけるコネクションを保持する１つの通信端末の下流に、例えばテザリング機能や通信端末に割り当てられるＩＰｖ６プレフィックス等によってプライベート網を構成する。
【００１４】
他の通信端末（以下においてプライベート端末と呼ぶ）は、プライベート網に接続し、通信端末が保持しているコネクションを介して、アクセス先ネットワークと通信する。プライベート端末は、プライベート網（通信端末）に接続後、通信端末へそれ自体の端末種別を通知する。通信端末は、プライベート端末ごとに端末種別を記憶・管理し、コネクションを使用しているプライベート端末の種別を示す種別情報と、コネクションのポリシ更新要求をゲートウェイに送信する。
【００１５】
通信端末に異なる端末種別のプライベート端末が接続し、１つのコネクションに複数種別のプライベート端末のデータが含まれる場合、通信端末はゲートウェイへ当該複数種別を示す種別情報を送信する。
【００１６】
ポリシ更新要求を受信したゲートウェイ又はゲートウェイ経由でポリシ更新要求を受信したＰＣＲＦ（Ｐｏｌｉｃｙ  ａｎｄ  Ｃｈａｒｇｉｎｇ  Ｒｕｌｅ  Ｆｕｎｃｔｉｏｎ）は、種別情報が示す１又は複数の端末種別に対する適切なポリシ情報を生成する。
【００１７】
通信端末は、プライベート端末の接続／切断により、コネクションを使用している接続中プライベート端末の構成が変化すると、当該コネクションの通信ポリシ更新処理を行う。一例において、通信端末は、プライベート端末が接続／切断するたびに該当するコネクションのポリシ更新要求を送信する。他の例において、通信端末は、プライベート端末の接続／切断の後に所定の条件が満たされた後に、ポリシ更新要求を送信する。
【００１８】
図１は、本実施形態のネットワークシステムの構成例を示す。ネットワークシステムは、通信端末１０１、アクセス網１０２、ゲートウェイ（ＧＷ）１０３、ＰＣＲＦ１０４、ＰＤＮ（Ｐａｃｋｅｔ  Ｄａｔａ  Ｎｅｔｗｏｒｋ）１０５、プライベート（Ｐｖｔ）端末１０６、プライベート（Ｐｖｔ）網１０７を含む。
【００１９】
アクセス網１０２は、マクロ基地局等を含む無線アクセス網と、無線ＬＡＮ基地局、有線ＬＡＮ等を含む固定アクセス網と、を含む。通信端末１０１は、無線方式又は有線方式によりアクセス網１０２に接続する。ゲートウェイ１０３は、アクセス網１０２とＰＤＮ１０５とを接続する。ＰＤＮ１０５は、例えば、外部ＩＰネットワークである。
【００２０】
プライベート端末１０６は、プライベート網１０７を介して、通信端末１０１に接続する。通信端末１０１は、例えばスマートフォンであり、ルータ機能を具備し、無線方式によりアクセス網１０２にアクセスする。通信端末１０１は、例えばテザリング機能によって、プライベート端末１０６と接続する。プライベート端末１０６は、通信端末１０１を介して、ＰＤＮ１０５（内の装置）と通信することができる。
【００２１】
ＰＣＲＦ１０４は、ポリシ情報のデータベースを持つポリシ管理装置である。ゲートウェイ１０３は、ＰＣＲＦ１０４が保持するポリシ情報データベースを使用するか否かを決定することできる。ＰＣＲＦ１０４が保持するポリシ情報データベースを使用する場合、ゲートウェイ１０３はＰＣＲＦ１０４からポリシ情報を取得する。ＰＣＲＦ１０４が保持するポリシ情報データベースを使用しない場合、ゲートウェイ１０３は、自身が保持するポリシ情報データベースを使用する。
【００２２】
図１の例において、ＰＣＲＦ１０４及びゲートウェイ１０３は、通信端末１０１の通信ポリシを制御する通信ポリシ制御システムを構成する。通信ポリシ制御システムは、ＰＣＲＦ１０４を含まず、ゲートウェイ１０３で構成されていてもよい。
【００２３】
図２は、通信端末１０１の構成例を模式的に示すブロック図である。プライベート端末１０６の構成例も、記憶部に保持される情報以外、これと同様である。通信端末１０１は、ネットワークインタフェース（ＩＦ）４０１、４０２、記憶部４０３、制御部４０４、ユーザＩＦ４０５を含み、これらは内部配線によって通信可能に接続されている。
【００２４】
ネットワークＩＦ４０１は、無線アクセス網及び固定アクセス網を含むアクセス網１０２とのネットワークインタフェースである。ネットワークＩＦ４０２は、プライベート網１０７とのネットワークインタフェースである。プライベート網１０７は、ＵＳＢ及び有線ＬＡＮ等を含む有線網並びに無線ＬＡＮ及びブルートゥース等を含む無線網を含む。
【００２５】
記憶部４０３は、揮発性及び／又は不揮発性の記憶デバイスを含んで構成される。記憶部４０３は、通信端末１０１の処理に必要な情報（プログラム及びデータを含む）を保持する。記憶部４０３は、例えば、通信端末１０１の、ユーザ識別子、サービス識別子、及び、端末種別を示す情報を保持する。ユーザ識別子は、例えば、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）であり、サービス識別子は、例えば、ＡＰＮ（Ａｃｃｅｓｓ  Ｐｏｉｎｔ  Ｎａｍｅ）である。
【００２６】
記憶部４０３は、さらに、接続中プライベート端末管理テーブル４０３１及びポリシ更新待ち合わせ機能情報４０３２を保持する。接続中プライベート端末管理テーブル４０３１は、通信端末１０１に接続しているプライベート端末１０６の情報を管理する。接続中プライベート端末管理テーブル４０３１の詳細は後述する。
【００２７】
ポリシ更新待ち合わせ機能情報４０２２は、ポリシ更新待ち合わせ機能のための情報を保持する。ポリシ更新待ち合わせ機能は、通信端末１０１が、ポリシ更新の要求を待ち合わせる機能であり、詳細は後述する。
【００２８】
ポリシ更新待ち合わせ機能情報４０２２は、ポリシ更新待ち合わせ機能のオンまたはオフを設定するパラメータ、ポリシ更新の待ち合わせ時間を計測するタイマ、ポリシ更新待ちプライベート端末数を管理する情報を含む。ユーザは、通信端末１０１を操作して、ポリシ更新待ち合わせ機能のオン／オフを設定できる。これにより、ユーザの要求に応じたポリシ更新要求制御を実現する。
【００２９】
制御部４０４は、所定の機能を実現する集積回路及び／又は記憶部４０３に格納されるプログラムに従って動作するプロセッサを含んで構成される。制御部４０４は、通信端末１０１の機能を実現するための処理を行う。本実施形態における制御部４０４による処理については後述する。
【００３０】
通信端末１０１はネットワークＩＦ４０１とネットワークＩＦ４０２の両方を具備するが、プライベート端末１０６は、その端末種別に応じて、一方のみ具備してもよい。例えば、プライベート端末１０６として通信端末１０１に接続する携帯ゲーム機は、ネットワークＩＦ４０２のみを有していいてよい。ユーザＩＦ４０５は、入力デバイスと出力デバイスとを含み、ユーザによる操作を受け付ける共に、ユーザに情報を提示する。
【００３１】
図３は、ゲートウェイ１０３の構成例を模式的に示すブロック図である。ゲートウェイ１０３は、ネットワークＩＦ５０１、ネットワークＩＦ５０２、ネットワークＩＦ５０３、記憶部５０４、制御部５０５、ユーザＩＦ５０６を含み、これらは内部配線によって通信可能に接続されている。
【００３２】
ネットワークＩＦ５０１は、ＰＤＮ１０５とのネットワークインタフェースである。ネットワークＩＦ５０２は、アクセス網１０２とのネットワークインタフェースである。ネットワークＩＦ５０３は、ＰＣＲＦ１０４とのネットワークインタフェースである。
【００３３】
記憶部５０４は、揮発性及び／又は不揮発性の記憶デバイスを含んで構成される。記憶部５０４は、ゲートウェイ１０３の処理に必要な情報（プログラム及びデータを含む）を保持する。記憶部５０４は、例えば、ポリシ管理テーブル５０４１、ＱｏＳ管理テーブル５０４２、課金管理テーブル５０４３、接続中セッション管理テーブル５０４４を保持する。各テーブルの詳細は後述する。
【００３４】
ゲートウェイ１０３が、特定のコネクションのポリシ設定においてＰＣＲＦ１０４と連携する場合、当該コネクションについてＰＣＲＦ１０４が有している情報は、ポリシ管理テーブル５０４１、ＱｏＳ管理テーブル５０４２、課金管理テーブル５０４３に格納されていなくともよい。
【００３５】
全てのコネクションのポリシ設定についてゲートウェイ１０３とＰＣＲＦ１０４との連携が確立されている場合、ゲートウェイ１０３は、上記テーブル５４０１〜５４０３を保持していなくともよい。
【００３６】
制御部５０５は、所定の機能を実現する集積回路及び／又は記憶部５０４に格納されるプログラムに従って動作するプロセッサを含んで構成される。制御部５０５は、ゲートウェイ１０３の機能を実現するための処理を行う。制御部５０５による処理については後述する。ゲートウェイ１０３は、ネットワークＩＦ５０２を、無線アクセス網を受信するインタフェースと固定アクセス網を受信するインタフェースで分ける、又は、どちらか一方のみを具備してもよい。ユーザＩＦ５０６は、入力デバイスと出力デバイスとを含み、ユーザによる操作を受け付ける共に、ユーザに情報を提示する。
【００３７】
図４は、ＰＣＲＦ１０４の構成例を模式的に示すブロック図である。ＰＣＲＦ１０４は、ネットワークＩＦ６０１、記憶部６０２、制御部６０３、ユーザＩＦ６０４を含み、これらは内部配線によって通信可能に接続されている。
【００３８】
ネットワークＩＦ６０１は、ゲートウェイ１０３とのネットワークインタフェースである。記憶部６０２は、揮発性及び／又は不揮発性の記憶デバイスを含んで構成される。記憶部６０２は、ポリシ管理テーブル６０２１、ＱｏＳ管理テーブル６０２２、課金管理テーブル６０２３、接続中セッション管理テーブル６０２４を保持する。各テーブルの詳細は後述する。
【００３９】
制御部６０３は、所定の機能を実現する集積回路及び／又は記憶部６０２に格納されるプログラムに従って動作するプロセッサを含んで構成される。制御部６０３は、ＰＣＲＦ１０４の機能を実現するための処理を行う。ポリシ制御を含む本実施形態における制御部６０３による処理については、後述する。ユーザＩＦ６０４は、入力デバイスと出力デバイスとを含み、ユーザによる操作を受け付ける共に、ユーザに情報を提示する。
【００４０】
以下において、四つのシーケンスを説明する。具体的には、（１）ポリシ更新待ち合わせ機能オフの通信端末１０１へのプライベート端末の接続、（２）ポリシ更新待ち合わせ機能オンの通信端末１０１へのプライベート端末の接続、（３）ポリシ更新待ち合わせ機能オンの通信端末１０１からのプライベート端末の切断、（４）ポリシ更新待ち合わせ機能オフの通信端末１０１からのプライベート端末の切断である。以下の説明において、これら四つのシーケンスは連続している。
【００４１】
＜（１）プライベート端末接続：ポリシ更新待ち合わせ機能オフ＞
図５は、プライベート（Ｐｖｔ）端末１０６の接続におけるコールフローの一例を示している。図５は、通信端末１０１に、最初のプライベート端末１０６が接続するときのコールフローを示している。
【００４２】
本実施形態において、通信端末１０１は、接続中のプライベート端末１０６の通信のためのポリシ更新を、アクセス網１０２の通信制御装置であるゲートウェイ１０３に要求する。通信端末１０１は、ポリシ更新待ち合わせ機能を有している。ポリシ更新待ち合わせ機能は、ポリシ更新をゲートウェイ１０３に要求するタイミングを制御する。
【００４３】
具体的には、ポリシ更新待ち合わせ機能がオフのとき、通信端末１０１は、プライベート端末１０６の接続／切断に応答して、ポリシ更新要求をゲートウェイ１０３に送信する。ポリシ更新待ち合わせ機能がオンのとき、通信端末１０１は、プライベート端末１０６の接続／切断の後、規定条件が満たされるまでポリシ更新の要求を待ち合わせる。これにより、ポリシ更新による負荷を低減すると共に、不適切なポリシが長く維持されることを避ける。ポリシ更新待ち合わせ機能の詳細は後述する。
【００４４】
図５の例において、通信端末１０１のポリシ更新待ち合わせ機能はオフである。通信端末１０１は、プライベート（Ｐｖｔ）端末１０６の接続（例えばテザリング機能による接続）に応答して、図５に示すポリシ更新のシーケンスを開始する。
【００４５】
通信ネットワークにおいて、通信端末は２本のＰＤＮコネクションを確立することがある。１つは、当該通信端末自身が使用するＰＤＮコネクション、例えば、当該通信端末の電源オン時に確立するＰＤＮコネクションと、もう１つは、テザリング機能通信用に追加で確立するＰＤＮコネクションがある。
【００４６】
このとき、通信端末に異なる端末種別のプライベート端末が接続し、テザリング機能通信用の１つのＰＤＮコネクションに複数のプライベート端末の通信データが含まれ端末種別が混在している場合においても、通信ネットワークが適切なポリシ制御を行う方法を提供することである。
【００４７】
図５において、通信端末１０１は、電源が入ると（Ｓ５０１）、ＰＤＮコネクション接続処理Ｓ５０２を開始する。通信端末１０１は、例えば、３ＧＰＰ規格に従って、ＰＤＮコネクション接続要求を、アクセス網１０２を介してゲートウェイ１０３に送信する。ゲートウェイ１０３は、及び通信端末１０１及びＰＣＦ１０４と共に、ＰＤＮコネクションを確立するための処理を行う。確立された当該ＰＤＮコネクションを、ＰＤＮコネクション＃１と呼ぶ。
【００４８】
ＰＤＮコネクション＃１が確立された後、通信端末１０１のテザリング機能がオンされると（Ｓ５０３）、通信端末１０１は、新たに追加のＰＤＮコネクション接続処理Ｓ５０４を開始する。通信端末１０１は、例えば、ＰＤＮコネクション＃１と同様に、３ＧＰＰ規格に従った接続処理により追加のＰＤＮコネクションを確立する。当該追加のＰＤＮコネクションを、ＰＤＮコネクション＃２と呼ぶ。
【００４９】
プライベート端末１０６及び通信端末１０１は、通信端末１０１のテザリング機能を利用して接続処理Ｓ５０５を行う。テザリング機能による当該プライベート端末１０６と通信端末１０１の接続方法（プライベート網１０７による接続方法）は、例えば、無線／有線ＬＡＮ（Ｌｏｃａｌ  Ａｒｅａ  Ｎｅｔｗｏｒｋ）による接続、ＵＳＢ（Ｕｎｉｖｅｒｓａｌ  Ｓｅｒｉａｌ  Ｂｕｓ）ケーブルによる接続又はＢｌｕｅｔｏｏｔｈ（登録商標、以下同）による方法等である。
【００５０】
プライベート端末１０６は、プライベート端末識別子及び端末種別を示す情報を含むシグナリングデータ（ＳＮＬＧ）２０１を、通信端末１０１に送信する。図５の例において、プライベート端末識別子は物理アドレス＃１であり、端末種別はＰＣである。通信端末１０１は、プライベート端末１０６へ、シグナリングデータ２０１への応答信号である、シグナリングデータ２０２を送信する。
【００５１】
通信端末１０１は、シグナリングデータ２０１が示す情報を使用して、制御処理フローＡの処理Ｓ５０６を行う。制御処理フローＡの処理Ｓ５０６は、図７を参照して後述する。通信端末１０１は、さらに、接続中プライベート端末管理テーブル４０３１を更新する（Ｓ５０７）。具体的には、新たに接続されたプライベート端末１０６のエントリを追加する。
【００５２】
図６は、接続中プライベート端末管理テーブル４０３１の一例を示す。接続中プライベート端末管理テーブル４０３１は、少なくとも、プライベート端末識別子カラム４０３１１と端末種別カラム４０３１２を有する。接続中プライベート端末管理テーブル４０３１は、他の情報も有することができる。
【００５３】
プライベート端末識別子カラム４０３１１は、物理アドレス等、プライベート端末の一意の識別子を格納する。端末種別カラム４０３１２は、スマートフォン、パソコン、スマートテレビ等の端末種別を示すデータを格納する。
【００５４】
図６の例は、端末識別子が物理アドレス＃１であり、端末種別がスマートフォンである、プライベート端末１０６が、プライベート網１０７及び接続中プライベート端末管理テーブル４０３１に新たに追加されたことを示す。
【００５５】
図５に戻って、通信端末１０１は、シグナリングデータ（ＳＮＬＧ）２０３を、アクセス網１０２へ送信する。シグナリングデータ２０３は、ＰＤＮコネクション＃２に適用するポリシ更新の要求とＰＤＮコネクション＃２を使用しているプライベート端末の端末情報とを含む。本例において、端末情報は、通信端末１０１に接続している全てのプライベート端末１０６の情報を含み、特に、プライベート端末１０６の種別の情報を含む。
【００５６】
具体的には、シグナリングデータ２０３の端末情報は、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｆｉｅｒ）（ＩＭＳＩ＃１）、ＡＰＮ（Ａｃｃｅｓｓ  Ｐｏｉｎｔ  Ｎａｍｅ）（ＡＰＮ＃１）と、端末種別（ＰＣ）、ＰＤＮコネクション識別子（＃２）を示す。ＩＭＳＩはユーザ識別子であり、ＡＰＮはサービス識別子である。
【００５７】
アクセス網１０２は、シグナリングデータ２０３を、シグナリングデータ２０４としてゲートウェイ１０３へ転送する。ゲートウェイ１０３は、制御処理フローＢの処理Ｓ５０８を行い、シグナリングデータ２０５をＰＣＲＦ１０４へ送信する。シグナリングデータ２０５は、シグナリングデータ２０４と同じ端末情報を含む。制御処理フローＢの処理Ｓ５０８については、図８を参照して後述する。
【００５８】
ＰＣＲＦ１０４は、シグナリングデータ２０５に含まれる情報を使用して制御処理フローＣの処理Ｓ５０９を行い、ポリシ情報とＰＤＮコネクションの識別子を含むシグナリングデータ２０６を、ゲートウェイ１０３へ送信する。制御処理フローＣの処理Ｓ５０９については、図９を参照して後述する。
【００５９】
ゲートウェイ１０３は、制御処理フローＢの処理Ｓ５０８において、ＰＣＲＦ１０４から受信したポリシ情報を自装置内において適用し、さらに、当該ポリシ情報とＰＤＮコネクションの識別子を含むシグナリングデータ２０７を、アクセス網１０２へ送信する。
【００６０】
アクセス網１０２内の通信装置は、ゲートウェイ１０３から受信したポリシ情報を必要に応じて自装置において適用し、当該ポリシ情報とＰＤＮコネクションの識別子を含むシグナリングデータ２０８を通信端末１０１へ送信する。当該ポリシ情報にアクセス網１０２にて適用すべき情報が含まれていない場合は、アクセス網１０２内の通信装置は当該ポリシ情報の適用を省略してもよい。例えば、３ＧＰＰ規格において、課金処理は主にゲートウェイ１０３により実施される。したがって、アクセス網１０２にて課金情報を適用する必要はない。
【００６１】
通信端末１０１は、シグナリングデータ２０８の応答データとしてシグナリングデータ２０９を、アクセス網１０２へ送信する。アクセス網１０２はシグナリングデータ２０７の応答データとしてシグナリングデータ２１０をゲートウェイ１０３へ送信する。ゲートウェイ１０３は、シグナリングデータ２０６の応答データとして、シグナリングデータ２１１をＰＣＲＦ１０４へ送信する。
【００６２】
制御処理フローＡ、Ｂ、Ｃが終了すると、プライベート端末１０６は、通信端末１０１を介して、テザリング用ＰＤＮコネクション（＃２）により、接続先のＰＤＮ１０５とデータ通信を行う。
【００６３】
図７は、図５における制御処理フローＡの一例を示すフローチャートである。通信端末１０１は、図７のフローチャートに従って、図５における制御処理フローＡの処理Ｓ５０６を行うことができる。図７のフローチャートは、後述する図１７のシーケンス図（プライベート端末接続：ポリシ更新待ち合わせ機能オン）における制御処理フローＡにも対応する。ここでは、図５の例における制御処理フローＡの処理Ｓ５０６について説明する。
【００６４】
通信端末１０１の制御部４０４は、プライベート端末１０６からシグナリングデータ２０１を受信する（Ｓ１０１１１）。制御部４０４は、記憶部４０３に格納されているポリシ更新待ち合わせ機能情報４０３２を参照し、ポリシ更新待ち合わせ機能がオンであるか否かを確認する（Ｓ１０１１４）。
【００６５】
本例においては、ポリシ更新待ち合わせ機能がオフである（Ｓ１０１１４：ＮＯ）。制御部４０４は、アクセス網１０２へシグナリングデータ２０３を送信する（Ｓ１０１１６）。さらに、制御部４０４は、プライベート端末１０６へシグナリングデータ２０２を送信する（Ｓ１０１１７）。
【００６６】
図８は、図５における制御処理フローＢの一例を示すフローチャートである。ゲートウェイ１０３は、図８のフローチャートに従って、図５における制御処理フローＢの処理Ｓ５０８を行うことができる。図８のフローチャートは、後述する図２５のシーケンス図（プライベート端末切断：ポリシ更新待ち合わせ機能オフ）における制御処理フローＢにも対応する。ここでは、図５の例における制御処理フローＢの処理Ｓ５０８について説明する。
【００６７】
ゲートウェイ１０３の制御部５０５は、通信端末１０１からシグナリングデータ２０４を受信する（Ｓ５０５０１）。シグナリングデータ２０４は、ＩＭＳＩ＃１、ＡＰＮ＃２、端末種別（ＰＣ）を含む。
【００６８】
制御部５０５は、接続中セッション管理テーブル５０４４において、シグナリングデータ２０４の通信端末識別子（ＩＭＳＩ＃１）及びサービス識別子（ＡＰＮ＃２）が示す接続中セッションを検索する（Ｓ５０５０２）。ここで、接続中セッションは、接続中ＰＤＮコネクションであり、Ｓ５０５０２で検索されるのは、接続中テザリング用ＰＤＮコネクション（＃２）である。
【００６９】
図９は、接続中セッション管理テーブル５０４４の構成例を示す。接続中セッション管理テーブル５０４４は、接続中ＰＤＮコネクションのそれぞれの情報を格納している。図９において、カラム５０４４１は、各接続中ＰＤＮコネクションの情報項目を示す。カラム５０４４２は、ＰＤＮコネクション（＃１）の情報を示し、カラム５０４４３はテザリング用ＰＤＮコネクション（＃２）の情報を示す。
【００７０】
図９において、カラム５０４４３は、テザリング用新規ＰＤＮコネクション接続処理Ｓ５０４において受信した情報、具体的には、ユーザ識別子、サービス識別子、端末種別、接続中ＰＣＲＦ  ＩＰアドレス、そして、ポリシ情報の値を格納している。
【００７１】
制御部５０５は、テザリング用新規ＰＤＮコネクション接続処理Ｓ５０４において、テザリング用ＰＤＮコネクション（＃２）のエントリを追加する。テザリング用新規ＰＤＮコネクション接続処理Ｓ５０４においてプライベート端末１０６は未だ接続していないため、端末種別はデフォルト値である。上述のように、制御部５０５は、例えば、３ＧＰＰ規格に従って、カラム５０４４３に格納する情報を取得する。デフォルト値により、プライベート端末の種別が未登録の場合等にもポリシを決定できる。
【００７２】
接続中セッション管理テーブル５０４４に検索している接続中ＰＤＮコネクションが存在しない場合（Ｓ５０５０３：ＮＯ）、制御部５０５は、シグナリングデータ２０４を破棄する（Ｓ５０５０５）。
【００７３】
本例において、接続中セッション管理テーブル５０４４に検索している接続中ＰＤＮコネクションが存在する（Ｓ５０５０３：ＹＥＳ）。制御部５０５は、当該エントリが、接続中ＰＣＲＦ  ＩＰアドレスの値を保持しているか否かによって、ＰＣＲＦ１０４からポリシ情報を取得しているか（以下、ＰＣＲＦ連携）否かを判定する（Ｓ５０５０４）。これにより、コネクションに応じてＰＣＲＦ連携の有無を決定し、コネクションに応じて適切にポリシ制御処理を分担できる。
【００７４】
図９の例において、カラム５０４４３は、接続中ＰＣＲＦ  ＩＰアドレスの値を保持しており、ゲートウェイ１０３は、ＰＣＲＦ１０４と連携している（Ｓ５０５０４：ＹＥＳ）。制御部５０５は、ＰＣＲＦ１０４へ、シグナリングデータ２０５を送信する（Ｓ５０５０６）。シグナリングデータ２０５は、シグナリングデータ２０４と同じ端末情報を含む。
【００７５】
その後、制御部５０５は、ＰＣＲＦ１０４からシグナリングデータ２０６を受信する（Ｓ５０５０８）。シグナリングデータ２０６は、ＩＭＳＩ＃１、ＡＰＮ＃２、端末種別（ＰＣ）及びポリシ情報を含む。制御部５０５は、シグナリングデータ２０６が示す情報を使用して、接続中セッション管理テーブル５０４４のカラム５０４４３を更新する（Ｓ５０５０９）。
【００７６】
図１０は、ステップＳ５０５０９において更新された接続中セッション管理テーブル５０４４を示す。太線で囲まれた部分が、更新箇所を示す。端末種別の値及びポリシ情報の値が更新されている。
【００７７】
対象としているＰＤＮコネクションについて、ゲートウェイ１０３がＰＣＲＦ１０４と連携していない場合（Ｓ５０５０４：ＮＯ）、制御部５０５は、シグナリングデータ２０４に含まれる前述の情報から、ＰＤＮコネクションに適用するポリシ（ＱｏＳ／課金）情報を決定する（Ｓ５０５０７）。決定方法は、制御処理フローＣ（Ｓ５０９）における、ＰＣＲＦ１０４による決定と同様であり、後述する。その後、制御部５０５は、図１０に示すように、接続中セッション管理テーブル５０４４のカラム５０４４３を更新する（Ｓ５０５０９）。
【００７８】
制御部５０５は、ポリシ情報を配布するためにシグナリングデータ２０７をアクセス網１０２へ送信する（Ｓ５０５１０）。その後、制御部５０５は、シグナリングデータ２０７の応答データとしてシグナリングデータ２１０を受信し（Ｓ５０５１１）、ＰＣＲＦ１０４へシグナリングデータ２１１を送信する（Ｓ５０５１２）。
【００７９】
図１１は、図５における制御処理フローＣの一例を示すフローチャートである。ＰＣＲＦ１０４は、図１１のフローチャートに従って、図５における制御処理フローＣの処理Ｓ５０９を行うことができる。図１１のフローチャートは、後述する図２５のシーケンス図（プライベート端末切断：ポリシ更新待ち合わせ機能オフ）における制御処理フローＣにも対応する。ここでは、図５の例における制御処理フローＣの処理Ｓ５０９について説明する。
【００８０】
ＰＣＲＦ１０４の制御部６０３は、ゲートウェイ１０３からシグナリングデータ２０５を受信する（Ｓ６０２０１）。シグナリングデータ２０４は、ＩＭＳＩ＃１、ＡＰＮ＃２、端末種別（ＰＣ）を含む。制御部６０３は、接続中セッション管理テーブル６０２４において、シグナリングデータ２０５の通信端末識別子（ＩＭＳＩ＃１）及びサービス識別子（ＡＰＮ＃２）が示す接続中セッションを検索する（Ｓ６０２０２）。Ｓ６０２０２で検索されるのは、接続中テザリング用ＰＤＮコネクション（＃２）である。
【００８１】
図１２は、接続中セッション管理テーブル６０２４の構成例を示す。接続中セッション管理テーブル６０２４は、接続中ＰＤＮコネクションのそれぞれの情報を格納している。ゲートウェイ１０３が保持する接続中セッション管理テーブル５０４４との違いは、接続中ＰＣＲＦ  ＩＰアドレスの項目に代えて、接続中ＧＷ  ＩＰアドレスの項目を有することである。
【００８２】
図１２において、カラム６０２４１は、各接続中ＰＤＮコネクションの情報項目を示す。カラム６０２４２は、ＰＤＮコネクション（＃１）の情報を示し、カラム６０２４３はテザリング用ＰＤＮコネクション（＃２）の情報を示す。
【００８３】
図１２において、カラム６０２４３は、テザリング用新規ＰＤＮコネクション接続処理Ｓ５０４において受信した情報、具体的には、ユーザ識別子、サービス識別子、端末種別、接続中ＰＣＲＦ  ＩＰアドレス、そして、ポリシ情報の値を格納している。
【００８４】
制御部６０３は、テザリング用新規ＰＤＮコネクション接続処理Ｓ５０４において、テザリング用ＰＤＮコネクション（＃２）のエントリを追加する。テザリング用新規ＰＤＮコネクション接続処理Ｓ５０４においてプライベート端末１０６は未だ接続していないため、端末種別はデフォルト値である。上述のように、制御部６０３は、例えば、３ＧＰＰ規格に従って、カラム６０２４３に格納する情報を取得する。
【００８５】
接続中セッション管理テーブル６０２４に検索している接続中ＰＤＮコネクションが存在しない場合（Ｓ６０２０３：ＮＯ）、制御部６０３は、シグナリングデータ２０５を破棄する（Ｓ６０２０５）。
【００８６】
本例において、接続中セッション管理テーブル６０２４に検索している接続中ＰＤＮコネクションが存在する（Ｓ６０２０３：ＹＥＳ）。制御部６０３は、シグナリングデータ２０５に含まれる前述の情報と、保持している通信ポリシ管理情報により、適用するポリシ情報を決定する（Ｓ６０２０４）。本例において、ポリシ管理テーブル６０２１、ＱｏＳ管理テーブル６０２２、課金管理テーブル６０２３は、通信ポリシ管理情報である。適用するポリシ情報の決定方法は後述する。
【００８７】
制御部６０３は、決定したポリシ情報及びシグナリングデータ２０５に含まれる情報により、接続中セッション管理テーブル６０２４のカラム６０２４３を更新する（Ｓ６０２０６）。図１３は、更新された接続中セッション管理テーブル６０２４を示す。更新部分は太字で囲まれており、端末種別とポリシ情報の項目が更新されている。
【００８８】
次に、ポリシ情報の決定方法を説明する。制御部６０３は、ポリシ情報の決定において、ポリシ管理テーブル６０２１、ＱｏＳ管理テーブル６０２２、課金管理テーブル６０２３を参照する。
【００８９】
図１４は、ポリシ管理テーブル６０２１の構成例を示す。ポリシは、ＱｏＳポリシ、セキュリティポリシ、課金ポリシ、サービスポリシの少なくとも１つを含む。例えば、ポリシ管理テーブル６０２１は、サービス識別子カラム６０２１１、端末種別カラム６０２１２、ＱｏＳＩＤカラム６０２１３、課金ＩＤカラム６０２１４等を有する。
【００９０】
サービス識別子カラム６０２１１は、ＡＰＮ等サービスを識別する識別子を格納する。端末種別カラム６０２１２は、スマートフォン、パソコン、スマートテレビ等の、端末の種別を示すデータを格納する。ＱｏＳＩＤカラム６０２１３は、ＱｏＳ管理テーブル６０２２からＱｏＳ情報を検索するために使用する識別子を格納する。課金ＩＤカラム６０２１４は、課金管理テーブル６０２３から課金情報を検索するために使用する識別子を格納する。
【００９１】
端末種別カラム６０２１２における「テザリングデフォルト」は、テザリング機能によって接続中プライベート端末１０６が存在しない場合に設定される端末種別である。ゲートウェイ１０３及びＰＣＲＦ１０４は、それぞれ、ポリシ決定処理を行う場合には、ポリシ管理テーブルを保持している。
【００９２】
図１５は、ＱｏＳ管理テーブル６０２２の構成例を示す。ＱｏＳ管理テーブル６０２２は、ＱｏＳＩＤカラム６０２２１、ＱＣＩ（ＱｏＳ  Ｃｌａｓｓ  Ｉｄｅｎｔｉｆｉｅｒ）カラム６０２２２、最大帯域カラム６０２２３、保証帯域カラム６０２２４等を有する。
【００９３】
ＱｏＳＩＤカラム６０２２１は、テーブルインデックスを格納する。ＱＣＩカラム６０２２２は、ＱｏＳのクラスを指定する。最大帯域カラム６０２２３は、許容する最大帯域の値を格納する。保証帯域カラム６０２２４は、許容する保証帯域の値を格納している。ゲートウェイ１０３及びＰＣＲＦ１０４は、それぞれ、ポリシ決定処理を行う場合には、ＱｏＳ管理テーブルを保持している。
【００９４】
図１６は、課金管理テーブル６０２３の構成例を示す。課金管理テーブル６０２３は、課金ＩＤカラム６０２３１、課金方式カラム６０２３２等を有する。課金ＩＤカラム６０２３１は、テーブルインデックスを格納する。課金方式カラム６０２３２は、課金の実施有無、従量課金や時間課金等の課金方式の情報を格納する。ゲートウェイ１０３及びＰＣＲＦ１０４は、それぞれ、ポリシ決定処理を行う場合には、課金管理テーブルを保持している。
【００９５】
制御部６０３は、ポリシ管理テーブル６０２１を参照して、受信したシグナリングデータが示すサービス識別子及び端末種別が示すエントリを検索し、当該エントリのＱｏＳＩＤ及び課金ＩＤの値を、ＱｏＳＩＤカラム６０２１３及び課金ＩＤカラム６０２１４から取得する。制御部６０３は、ＱｏＳ管理テーブル６０２２から取得したＱｏＳＩＤのエントリの情報を取得し、課金管理テーブル６０２３から取得した課金ＩＤのエントリの情報を取得する。
【００９６】
例えば、シグナリングデータ２０５は、サービス識別子として「ＡＰＮ＃２」、端末種別として「ＰＣ」を含む。制御部６０３は、ポリシ管理テーブル６０２１のサービス識別子カラム６０２１１及び端末種別カラム６０２１２を参照し、「ＡＰＮ＃２」及び「ＰＣ」の値を有するエントリを検索する。当該エントリのＱｏＳＩＤの値は「ｙ」であり、課金ＩＤの値は「Ｙ」である。
【００９７】
制御部６０３は、ＱｏＳ管理テーブル６０２２から、ＱｏＳＩＤの値が「ｙ」のエントリの情報を取得する。さらに、制御部６０３は、課金管理テーブル６０２３から、課金ＩＤの値が「Ｙ」のエントリの情報を取得する。取得した情報が、適用されるポリシ情報である。
【００９８】
図１１に戻って、制御部６０３は、ポリシ情報を配布するためにシグナリングデータ２０６をゲートウェイ１０３へ送信する（Ｓ６０２０７）。その後、制御部６０３は、シグナリングデータ２０６の応答データとして、シグナリングデータ２１１を受信する（Ｓ６０２０８）。
【００９９】
＜（２）プライベート端末接続：ポリシ更新待ち合わせ機能オン＞
次に、ポリシ更新待ち合わせ機能がオンである通信端末１０１に、新たにプライベート端末１０６が接続する例を説明する。以下に説明する例は、図５のコールフローによりすでに一つのプライベート端末１０６が通信端末１０１に接続している状態において、さらに、追加のプライベート端末１０６を接続する。
【０１００】
図１７は、ポリシ更新待ち合わせ機能オンである通信端末１０１へのプライベート（Ｐｖｔ）端末１０６の接続におけるコールフローの一例を示している。本例において、接続中プライベート端末１０６が存在している状態において、さらに二つのプライベート端末１０６が、テザリング機能により通信端末１０１に接続する。
【０１０１】
ポリシ更新待ち合わせ機能がオンであるので、通信端末１０１は、プライベート端末１０６の接続の後、規定条件が満たされるまでポリシ更新の要求を待ち合わせる。図１７の例においては、二つのプライベート端末１０６が接続した後、通信端末１０１は、ポリシ更新をゲートウェイ１０３に要求する。後述するように、通信端末１０１は、プライベート端末１０６の接続からの時間とポリシ更新を待つプライベート端末数に基づいて、ポリシ更新を要求するタイミングを決定する。
【０１０２】
図１７において、新たに接続するプライベート端末（第２のプライベート端末）１０６と通信端末１０１とは、通信端末１０１のテザリング機能を利用して接続処理Ｓ６０１を行う。プライベート端末１０６は、プライベート端末識別子及び端末種別を示す情報を含むシグナリングデータ（ＳＮＬＧ）２２１を、通信端末１０１に送信する。
【０１０３】
図１７の例において、プライベート端末識別子は物理アドレス＃２であり、端末種別はタブレットである。通信端末１０１は、プライベート端末１０６へ、シグナリングデータ２２１への応答信号である、シグナリングデータ２２２を送信する。
【０１０４】
通信端末１０１は、制御処理フローＡの処理Ｓ６０２を行う。制御処理フローＡの処理Ｓ６０２は、図７を参照して後述する。通信端末１０１は、さらに、接続中プライベート端末管理テーブル４０３１を更新する（Ｓ６０３）。具体的には、新たに接続されたプライベート端末１０６のエントリを追加する。
【０１０５】
その後、さらに、新たなプライベート端末（第３のプライベート端末）１０６が、通信端末１０１とテザリング処理Ｓ６０４を行い、通信端末１０１に接続する。プライベート端末１０６は、プライベート端末識別子及び端末種別を示す情報を含むシグナリングデータ（ＳＮＬＧ）２２３を、通信端末１０１に送信する。
【０１０６】
そのプライベート端末識別子は物理アドレス＃３であり、端末種別は携帯ゲーム機である。通信端末１０１は、プライベート端末１０６へ、シグナリングデータ２２３への応答信号である、シグナリングデータ２２４を送信する。その後、通信端末１０１は、制御処理フローＡの処理Ｓ６０５を行う。制御処理フローＡの処理Ｓ６０５は、図７を参照して後述する。
【０１０７】
次に、通信端末１０１は、接続中プライベート端末管理テーブル４０３１を更新する（Ｓ６０３）。具体的には、新たに接続されたプライベート端末１０６のエントリを追加する。図１８は、Ｓ６０３において更新され後の接続中プライベート端末管理テーブル４０３１を示している。
【０１０８】
図１８において、太線で囲まれている部分が更新部分である。図１８は、二つのプライベート端末１０６が新たに追加されたことを示す。一つのプライベート端末１０６の端末識別子は物理アドレス＃２であり、端末種別はタブレットである。もう一つのプライベート端末１０６の端末識別子は物理アドレス＃３であり、端末種別は携帯ゲーム機である。
【０１０９】
図１７に戻って、通信端末１０１は、シグナリングデータ２２５を、アクセス網１０２へ出力する。シグナリングデータ２２５は、ポリシ更新の要求と端末情報とを含む。本例において、端末情報は、テザリング用ＰＤＮコネクション（＃２）を使用している接続中の全てのプライベート端末１０６の情報を含み、特に、それらの端末種別を示す情報を含む。
【０１１０】
具体的には、シグナリングデータ２２５の端末情報は、ＩＭＳＩ（ＩＭＳＩ＃１）、ＡＰＮ（ＡＰＮ＃１）、端末種別（ＰＣ、タブレット、携帯ゲーム機）、ＰＤＮコネクション識別子（＃２）を示す。シグナリングデータ２２５は、接続中の全てのプライベート端末１０６の情報（端末識別子）を含む。
【０１１１】
アクセス網１０２は、シグナリングデータ２２５を、シグナリングデータ２２６としてゲートウェイ１０３へ転送する。ゲートウェイ１０３は、制御処理フローＤの処理Ｓ６０７を行い、シグナリングデータ２２７をＰＣＲＦ１０４へ送信する。シグナリングデータ２２７は、シグナリングデータ２２５と同じ端末情報を含む。制御処理フローＤの処理Ｓ６０７については、図１９を参照して後述する。
【０１１２】
ＰＣＲＦ１０４は、シグナリングデータ２２７に含まれる情報を使用して制御処理フローＥの処理Ｓ６０８を行い、ポリシ情報とＰＤＮコネクションの識別子を含むシグナリングデータ２２８を、ゲートウェイ１０３へ送信する。制御処理フローＥの処理Ｓ６０８については、図２１を参照して後述する。
【０１１３】
ゲートウェイ１０３は、制御処理フローＤの処理Ｓ６０７において、ＰＣＲＦ１０４から受信したポリシ情報を自装置内において適用し、さらに、当該ポリシ情報とＰＤＮコネクションの識別子を含むシグナリングデータ２２９を、アクセス網１０２へ送信する。
【０１１４】
アクセス網１０２内の通信装置は、ゲートウェイ１０３から受信したポリシ情報を、必要に応じて自装置において適用し、当該ポリシ情報とＰＤＮコネクションの識別子を含むシグナリングデータ２３０を通信端末１０１へ送信する。
【０１１５】
通信端末１０１は、シグナリングデータ２３０の応答データとしてシグナリングデータ２３１を、アクセス網１０２へ送信する。アクセス網１０２はシグナリングデータ２２９の応答データとしてシグナリングデータ２３２をゲートウェイ１０３へ送信する。ゲートウェイ１０３は、シグナリングデータ２２８の応答データとして、シグナリングデータ２３３をＰＣＲＦ１０４へ送信する。
【０１１６】
上記全ての処理の終了後、三つのプライベート端末１０６は、それぞれ、通信端末１０１を介して、テザリング用ＰＤＮコネクション（＃２）により、ＰＤＮ１０５とデータを通信する。
【０１１７】
図７のフローチャートを参照して、図１７における制御処理フローＡの処理Ｓ６０２を説明する。図１７のシーケンスにおいて、通信端末１０１の制御部４０４は、プライベート端末１０６からシグナリングデータ２２１を受信する（Ｓ１０１１１）。本シーケンスにおいては、制御部４０４は、ポリシ更新待ち合わせ機能がオンと判定する（Ｓ１０１１４：ＹＥＳ）。
【０１１８】
制御部４０４は、ポリシ更新待ち合わせ機能情報４０３２を参照して、ポリシ更新タイマが起動され、動作しているか（時間をカウントしているか）否かを判定する（Ｓ１０１１８）。制御処理フローＡの処理Ｓ６０２において、ポリシ更新タイマは起動されていない（Ｓ１０１１８：ＮＯ）。
【０１１９】
制御部４０４は、ポリシ更新待ち合わせ機能情報４０３２を参照して、ポリシ更新待ちプライベート端末１０６が存在するか（０ではないか）判定する（Ｓ１０１１９）。制御処理フローＡの処理Ｓ６０２において、ポリシ更新待ちプライベート端末１０６は存在しない（Ｓ１０１１９：ＮＯ）。
【０１２０】
制御部４０４は、ポリシ更新待ち合わせ機能情報４０３２において、ポリシ更新タイマを起動し、ポリシ更新待ちプライベート端末数を１だけインクリメントする（Ｓ１０１２０）。その後、制御部４０４は、シグナリングデータ２２２をプライベート端末１０６に送信する（Ｓ１０１２１）。
【０１２１】
次に、図７のフローチャートを参照して、図１７における制御処理フローＡの処理Ｓ６０５を説明する。通信端末１０１の制御部４０４は、プライベート端末１０６からシグナリングデータ２２１を受信する（Ｓ１０１１１）。本シーケンスにおいては、制御部４０４は、ポリシ更新待ち合わせ機能がオンと判定する（Ｓ１０１１４：ＹＥＳ）。
【０１２２】
制御部４０４は、ポリシ更新待ち合わせ機能情報４０３２を参照して、ポリシ更新タイマが起動され、動作しているか（時間をカウントしているか）否かを判定する（Ｓ１０１１８）。制御処理フローＡの処理Ｓ６０５において、ポリシ更新タイマは停止している（Ｓ１０１１８：ＮＯ）。つまり、ポリシ更新タイマが起動してから規定時間が経過し、ポリシ更新タイマは停止している。
【０１２３】
制御部４０４は、ポリシ更新待ち合わせ機能情報４０３２を参照して、ポリシ更新待ちプライベート端末１０６が存在するか（０ではないか）判定する（Ｓ１０１１９）。制御処理フローＡの処理Ｓ６０５において、ポリシ更新待ちプライベート端末１０６は存在する（Ｓ１０１１９：ＹＥＳ）。
【０１２４】
制御部４０４は、ポリシ更新待ち合わせ機能情報４０３２において、ポリシ更新待ちプライベート端末数を０にリセットする（Ｓ１０１２２）。制御部４０４は、シグナリングデータ２２５をアクセス網１０２に送信する（Ｓ１０１２３）。制御部４０４は、シグナリングデータ２２４をプライベート端末１０６に送信する（Ｓ１０１２１）。
【０１２５】
図７のフローチャートにおける、上記例とは異なるステップの経路を説明する。制御部４０４が、ステップＳ１０１１８において、ポリシ更新タイマが動作中であると判定するとする（Ｓ１０１１８：ＹＥＳ）。制御部４０４は、ポリシ更新待ち合わせ機能情報４０３２を参照して、ポリシ更新待ちプライベート端末が存在するか（０ではないか）判定する（Ｓ１０１２４）。
【０１２６】
ポリシ更新待ちプライベート端末が存在しない場合（Ｓ１０１２４：ＮＯ）、制御部４０４は、プライベート端末１０６に、応答シグナリングデータ（シグナリングデータ２２２、２２４に対応）を送信する（Ｓ１０１２１）。
【０１２７】
ポリシ更新待ちプライベート端末が存在する場合（Ｓ１０１２４：ＹＥＳ）、制御部４０４は、ポリシ更新待ち合わせ機能情報４０３２を参照して、ポリシ更新待ちプライベート端末数が閾値以上であるか判定する（Ｓ１０１２５）。閾値は、例えば、３である。
【０１２８】
ポリシ更新待ちプライベート端末数が閾値より少ない場合（Ｓ１０１２５：ＮＯ）、制御部４０４は、プライベート端末１０６に、応答シグナリングデータ（シグナリングデータ２２２、２２４に対応）を送信する（Ｓ１０１２１）。
【０１２９】
ポリシ更新待ちプライベート端末数が閾値以上である場合（Ｓ１０１２５：ＹＥＳ）、制御部４０４は、ポリシ更新待ちプライベート端末数を０にリセットする（１０１２２）。さらに、制御部４０４は、アクセス網１０２へ、ポリシ情報の更新を要求するシグナリングデータ（シグナリングデータ２２５に対応）を送信する（Ｓ１０１２３）。
【０１３０】
図１９は、図１７における制御処理フローＤの一例を示すフローチャートである。ゲートウェイ１０３は、このフローチャートに従って、図１７における制御処理フローＤの処理Ｓ６０７を行うことができる。図１９のフローチャートは、後述する図２３における制御処理フローＤ（プライベート端末切断：ポリシ更新待ち合わせ機能ＯＮ）にも対応する。ここでは、図１７の例における制御処理フローＤの処理Ｓ６０７について説明する。
【０１３１】
ゲートウェイ１０３の制御部５０５は、通信端末１０１からシグナリングデータ２２６を受信する（Ｓ５０５２１）。シグナリングデータ２２６は、ＩＭＳＩ＃１、ＡＰＮ＃２、端末種別（ＰＣ、タブレット、携帯ゲーム機）を示す。
【０１３２】
制御部５０５は、接続中セッション管理テーブル５０４４において、シグナリングデータ２２６の通信端末識別子（ＩＭＳＩ＃１）及びサービス識別子（ＡＰＮ＃２）が示す接続中セッションを検索する（Ｓ５０５２２）。検索されるのは、テザリング用ＰＤＮコネクション（＃２）である。検索される接続中セッション管理テーブル５０４４は、図１３に示す情報を保持している。
【０１３３】
接続中セッション管理テーブル５０４４に検索している接続中ＰＤＮコネクションが存在しない場合（Ｓ５０５２３：ＮＯ）、制御部５０５は、シグナリングデータ２２６を破棄する（Ｓ５０５２５）。
【０１３４】
本例において、接続中セッション管理テーブル５０４４に検索している接続中ＰＤＮコネクションが存在する（Ｓ５０５２３：ＹＥＳ）。制御部５０５は、ＰＣＲＦ１０４と連携しているか否かを判定する（Ｓ５０５２４）。本例において、ゲートウェイ１０３は、ＰＣＲＦ１０４と連携している（Ｓ５０５２４：ＹＥＳ）。制御部５０５は、ＰＣＲＦ１０４へ、シグナリングデータ２２７を送信する（Ｓ５０５２６）。シグナリングデータ２２７は、シグナリングデータ２２６と同じ端末情報を含む。
【０１３５】
その後、制御部５０５は、ＰＣＲＦ１０４からシグナリングデータ２２８を受信する（Ｓ５０５２８）。シグナリングデータ２２８は、ＩＭＳＩ＃１、ＡＰＮ＃２、端末種別（携帯ゲーム機）及びポリシ情報を含む。制御部５０５は、シグナリングデータ２２８が示す情報を使用して、接続中セッション管理テーブル５０４４のカラム５０４４３を更新する（Ｓ５０５２９）。
【０１３６】
図２０は、ステップＳ５０５２９において更新された接続中セッション管理テーブル５０４４を示す。太線で囲まれた部分が、更新箇所を示す。端末種別の値及びポリシ情報の値が更新されている。
【０１３７】
対象としているＰＤＮコネクションについて、ゲートウェイ１０３がＰＣＲＦ１０４と連携していない場合（Ｓ５０５２４：ＮＯ）、制御部５０５は、シグナリングデータ２２６に含まれる前述の情報から、適用するポリシ（ＱｏＳ／課金）情報を決定する（Ｓ５０５２７）。決定方法は、制御処理フローＥ（Ｓ６０８）における、ＰＣＲＦ１０４による決定と同様であり、後述する。その後、制御部５０５は、図２０に示すように、接続中セッション管理テーブル５０４４のカラム５０４４３を更新する（Ｓ５０５２９）。
【０１３８】
制御部５０５は、ポリシ情報を配布するためにシグナリングデータ２２９をアクセス網１０２へ送信する（Ｓ５０５１０）。その後、制御部５０５は、シグナリングデータ２２９の応答データとしてシグナリングデータ２３２を受信し（Ｓ５０５３１）、ＰＣＲＦ１０４へシグナリングデータ２３３を送信する（Ｓ５０５３２）。
【０１３９】
図２１は、図１７における制御処理フローＥの一例を示すフローチャートである。ＰＣＲＦ１０４は、図２１のフローチャートに従って、図１７における制御処理フローＥの処理Ｓ６０８を行うことができる。図２１のフローチャートは、後述する図２３のシーケンス図（プライベート端末切断：ポリシ更新待ち合わせ機能オン）における制御処理フローＥにも対応する。ここでは、図１７の例における制御処理フローＥの処理Ｓ６０８について説明する。
【０１４０】
ＰＣＲＦ１０４の制御部６０３は、ゲートウェイ１０３からシグナリングデータ２２７受信する（Ｓ６０２２１）。シグナリングデータ２２７は、ＩＭＳＩ＃１、ＡＰＮ＃２、端末種別（ＰＣ、タブレット、携帯ゲーム機）を示す。制御部６０３は、接続中セッション管理テーブル６０２４において、シグナリングデータ２２７の通信端末識別子（ＩＭＳＩ＃１）及びサービス識別子（ＡＰＮ＃２）が示す接続中セッションを検索する（Ｓ６０２２２）。検索されるのは、接続中テザリング用ＰＤＮコネクション（＃２）である。
【０１４１】
接続中セッション管理テーブル６０２４に検索している接続中ＰＤＮコネクションが存在しない場合（Ｓ６０２２３：ＮＯ）、制御部６０３は、シグナリングデータ２２７を破棄する（Ｓ６０２３５）。
【０１４２】
本例において、接続中セッション管理テーブル６０２４に検索している接続中ＰＤＮコネクションが存在する（Ｓ６０２２３：ＹＥＳ）。制御部６０３は、シグナリングデータ２０５に含まれる前述の情報と保持している管理情報（ポリシ管理テーブル６０２１、ＱｏＳ管理テーブル６０２２、課金管理テーブル６０２３）により、適用するポリシ情報を決定する（Ｓ６０２０４）。適用するポリシ情報の決定方法は後述する。
【０１４３】
制御部６０３は、決定したポリシ情報及びシグナリングデータ２０５に含まれる情報により、接続中セッション管理テーブル６０２４のカラム６０２４３を更新する（Ｓ６０２０６）。図２２は、更新された接続中セッション管理テーブル６０２４を示す。更新部分は太字で囲まれており、端末種別とポリシ情報の項目が更新されている。
【０１４４】
次に、ポリシ情報の決定方法を説明する。制御部６０３は、シグナリングデータ２２７が示す複数の端末種別から一つの端末種別を予め定められた規則に従って選択し、選択した端末種別に対応するポリシ情報を、テザリング用ＰＤＮコネクション（＃２）に適用するポリシ情報と決定する。
【０１４５】
例えば、制御部６０３は、受信した端末種別の中で、最も多くのＱｏＳリソースを要求している端末種別を選択する。これにより、最も多くのＱｏＳリソースを要求している端末種別にあわせて通信ポリシを決定できる。制御部６０３は、ポリシ管理テーブル６０２１及びＱｏＳ管理テーブル６０２２を参照して、当該サービス識別子における各端末種別のＱｏＳを知ることができる。
【０１４６】
制御部６０３は、例えば、最大の最大帯域又は保証帯域を要求する端末種別を選択することができる。最も広い保証帯域を要求する種別を選択する例において、制御部６０３は、ＰＣ、タブレット及び携帯ゲーム機の中から、携帯ゲーム機を選択する。そのＱｏＳＩＤは「ｚ」であり、課金ＩＤは「Ｚ」である。
【０１４７】
制御部６０３は、ＱｏＳ管理テーブル６０２２から、ＱｏＳＩＤの値が「ｚ」のエントリの情報を取得する。さらに、制御部６０３は、課金管理テーブル６０２３から、課金ＩＤの値が「Ｚ」のエントリの情報を取得する。取得した情報が、適用されるポリシ情報である。
【０１４８】
制御部６０３は、ポリシ情報を配布するためにシグナリングデータ２２８をゲートウェイ１０３へ送信する（Ｓ６０２２７）。その後、制御部６０３は、シグナリングデータ２０６の応答データとして、シグナリングデータ２３３を受信する（Ｓ６０２２８）。
【０１４９】
＜（３）プライベート端末切断：ポリシ更新待ち合わせ機能オン＞
次に、ポリシ更新待ち合わせ機能がオンである通信端末１０１に接続しているプライベート端末１０６が、その接続を切断する例を説明する。以下に説明する例は、図１７のコールフローにより三つのプライベート端末１０６が通信端末１０１に接続している状態において、二つのプライベート端末１０６が接続を切断する。
【０１５０】
図２６は、ポリシ更新待ち合わせ機能がオンの通信端末１０１からの、プライベート端末切断のコールフローの一例を示す。図１７のコールフローが実施された後、テザリング機能によって通信端末１０１と接続中の第２のプライベート端末１０６（プライベート端末識別子＝物理アドレス＃２）がテザリング機能によって接続を切断する（Ｓ７０１）。通信端末１０１は、プライベート端末１０６の切断に応答して、制御処理フローＦの処理Ｓ７０２を行う。制御処理フローＦについては後述する。
【０１５１】
さらに、テザリング機能によって、通信端末１０１と接続中の第３のプライベート端末１０６（プライベート端末識別子＝物理アドレス＃３）が、接続を切断する。その切断に応答して、通信端末１０１は、制御処理フローＦの処理Ｓ７０３を行い、シグナリングデータ３０１を、アクセス網１０２へ送信する。
【０１５２】
シグナリングデータ３０１は、ポリシ更新の要求と、テザリング用ＰＤＮコネクション（＃２）に接続している全てのプライベート端末１０６の情報を含む。本例において、シグナリングデータ３０１が含む端末情報は、ユーザ識別子（ＩＭＳＩ＃１）、サービス識別子（ＡＰＮ＃１）、端末種別（ＰＣ）、ＰＤＮコネクション識別子（＃２）を示す。
【０１５３】
アクセス網１０２は、シグナリングデータ３０１を、シグナリングデータ３０２としてゲートウェイ１０３へ転送する。ゲートウェイ１０３は、制御処理フローＤの処理Ｓ７０４を実行し、シグナリングデータ３０３をＰＣＲＦ１０４へ送信する。シグナリングデータ３０３は、シグナリングデータ３０１と同一の端末情報を含む。
【０１５４】
ＰＣＲＦ１０４は、制御処理フローＥの処理Ｓ７０５を実行し、シグナリングデータ３０１の端末情報に対応するポリシ情報とＰＤＮコネクションの識別子とを含めて、シグナリングデータ３０４をゲートウェイ１０３へ送信する。
【０１５５】
ゲートウェイ１０３は、制御処理フローＤの処理Ｓ７０４において、ＰＣＲＦ１０４から受信したポリシ情報を適用し、当該ポリシ情報及びＰＤＮコネクションの識別子を含むシグナリングデータ３０５をアクセス網１０２へ送信する。
【０１５６】
アクセス網１０２は、ゲートウェイ１０３から受信したポリシ情報を必要に応じて適用し、当該ポリシ情報及びＰＤＮコネクションの識別子を含むシグナリングデータ３０６を通信端末１０１へ送信する。
【０１５７】
通信端末１０１は、シグナリングデータ３０６の応答としてシグナリングデータ３０７をアクセス網１０２へ送信する。アクセス網１０２はシグナリングデータ３０５の応答としてシグナリングデータ３０８をゲートウェイ１０３へ送信する。ゲートウェイ１０３はシグナリングデータ３０４の応答としてシグナリングデータ３０９をＰＣＲＦ１０４へ送信する。
【０１５８】
図２４は、図２３における制御処理フローＦの一例を示すフローチャートである。通信端末１０１は、図２４のフローチャートに従って、図２３における制御処理フローＦの処理Ｓ７０２及び７０３を行うことができる。図２４のフローチャートは、後述する図２５のシーケンス図（プライベート端末切断：ポリシ更新待ち合わせ機能オフ）における制御処理フローＦにも対応する。ここでは、図２４の例における制御処理フローＦの処理Ｓ７０２及び７０４について説明する。
【０１５９】
まず、制御処理フローＦの処理Ｓ７０２を説明する。通信端末１０１の制御部４０４は、第２のプライベート端末１０６とのテザリング切断処理Ｓ７０１を行うと、接続中プライベート端末管理テーブル４０３１を更新する（Ｓ１０１３２）。具体的には、制御部４０４は、第２のプライベート端末（物理アドレス＃２）のエントリを削除する。
【０１６０】
制御部４０４は、ポリシ更新待ち合わせ機能がオンであるか確認する（Ｓ１０１３３）。ここでは、ポリシ更新待ち合わせ機能がオンである（Ｓ１０１３３：ＹＥＳ）。制御部４０４は、ポリシ更新待ち合わせタイマが動作中か確認する（Ｓ１０１３５）。ここでは、タイマは起動されていない（Ｓ１０１３５：ＮＯ）。
【０１６１】
制御部４０４は、ポリシ更新待ちプライベート端末１０６が存在するか（０ではないか）確認する（Ｓ１０１３６）。ここでは、ポリシ更新待ちプライベート端末１０６は存在しない。制御部４０４は、ポリシ更新タイマを起動し、ポリシ更新待ちプライベート端末数を１インクリメントする（Ｓ１０１３７）。
【０１６２】
次に、制御処理フローＦの処理Ｓ７０４を説明する。制御部４０４は、第３のプライベート端末１０６とのテザリング切断処理Ｓ７０１を行うと、接続中プライベート端末管理テーブル４０３１から当該プライベート端末１０６のエントリを削除する（Ｓ１０１３２）。ステップＳ１０１３３、ステップＳ１０１３５は、制御処理フローＦの処理Ｓ７０２と同様である。
【０１６３】
制御部４０４は、ポリシ更新待ちプライベート端末１０６が存在するか（０ではないか）確認する（Ｓ１０１３６）。ここでは、ポリシ更新待ちプライベート端末１０６は存在する（Ｓ１０１３６：ＹＥＳ）。制御部４０４は、ポリシ更新待ちプライベート端末数を０にリセットし（Ｓ１０１３８）、アクセス網１０２へシグナリングデータ３０１を送信する（Ｓ１０１３９）。
【０１６４】
図２４のフローチャートにおける、上記例とは異なるステップの経路を説明する。ポリシ更新待ち合わせ機能がＯＦＦである場合（Ｓ１０１３３：ＮＯ）の処理は、後述する。制御部４０４が、ステップＳ１０１３５において、ポリシ更新タイマが動作中であると判定するとする（Ｓ１０１３５：ＹＥＳ）。制御部４０４は、ポリシ更新待ちプライベート端末が存在するか（０ではないか）判定する（Ｓ１０１４０）。
【０１６５】
ポリシ更新待ちプライベート端末が存在しない場合（Ｓ１０１４０：ＮＯ）、制御部４０４は、本フローを終了する。ポリシ更新待ちプライベート端末が存在する場合（Ｓ１０１４０：ＹＥＳ）、制御部４０４は、ポリシ更新待ちプライベート端末数が閾値以上であるか判定する（Ｓ１０１４１）。閾値は、例えば、３である。
【０１６６】
ポリシ更新待ちプライベート端末数が閾値より少ない場合（Ｓ１０１４１：ＮＯ）、制御部４０４は、本フローを終了する。ポリシ更新待ちプライベート端末数が閾値以上である場合（Ｓ１０１４１：ＹＥＳ）、制御部４０４は、ポリシ更新待ちプライベート端末数を０にリセットする（Ｓ１０１３８）。さらに、制御部４０４は、アクセス網１０２へシグナリングデータ３０１を送信する（Ｓ１０１３９）。
【０１６７】
次に、図２３のコールフローにおける、ゲートウェイ１０３による制御処理フローＤの処理Ｓ７０５を、図１９のフローチャートを参照して説明する。以下においては、図１７のコールフロー（プライベート端末接続：ポリシ更新待ち合わせ機能オン）における制御処理フローＤの処理Ｓ６０７との相違点を主に説明する。
【０１６８】
処理Ｓ７０５において、シグナリングデータ３０２、３０３、３０４、３０５、３０８、３０９は、それぞれ、制御処理フローＤの処理Ｓ６０７におけるシグナリングデータ２２６、２２７、２２８、２２９、２３２、２３３に対応する。
【０１６９】
ゲートウェイ１０３の制御部５０５が通信端末１０１から受信したシグナリングデータ３０２は、ＩＭＳＩ＃１、ＡＰＮ＃２、端末種別（ＰＣ）を示す。制御部５０５は、接続中セッション管理テーブル５０４４において、指定された接続中テザリング用ＰＤＮコネクションが存在するか検索する（Ｓ５０５２３）。検索される接続中セッション管理テーブル５０４４が格納している情報は、図２０に示す通りである。
【０１７０】
接続中セッション管理テーブル５０４４は指定されたＰＤＮコネクションのエントリを有する（Ｓ５０５２３：ＹＥＳ）。また、当該ＰＤＮコネクションについてＰＣＲＦ連携が設定されている（Ｓ５０５２４：ＹＥＳ）。
【０１７１】
制御部５０５がＰＣＲＦ１０４へ送信するシグナリングデータ３０３は、ＩＭＳＩ＃１、ＡＰＮ＃２、端末種別（ＰＣ）を示す（Ｓ５０５２６）。制御部５０５がＰＣＲＦ１０４から受信するシグナリングデータ３０４は、ＩＭＳＩ＃１、ＡＰＮ＃２、端末種別（ＰＣ）に対応するポリシ情報を示す（Ｓ５０５２８）。制御部５０５が受信したポリシ情報を使用して更新した接続中セッション管理テーブル５０４４は、図１０に示す情報を有している（Ｓ５０５２９）。
【０１７２】
次に、図２３のコールフローにおける、ＰＣＲＦ１０４による制御処理フローＥの処理Ｓ７０６を、図２１のフローチャートを参照して説明する。以下においては、図１７のコールフロー（プライベート端末接続：ポリシ更新待ち合わせ機能オン）における制御処理フローＤの処理Ｓ６０８との相違点を主に説明する。
【０１７３】
処理Ｓ７０６において、シグナリングデータ３０３、３０４、３０９は、それぞれ、制御処理フローＤの処理Ｓ６０８におけるシグナリングデータ２２７、２２８、２３３に対応する。
【０１７４】
ＰＣＲＦ１０４の制御部６０３がゲートウェイ１０３から受信したシグナリングデータ３０２は、ＩＭＳＩ＃１、ＡＰＮ＃２、端末種別（ＰＣ）を示す。制御部６０３は、接続中セッション管理テーブル６０２４において、指定された接続中テザリング用ＰＤＮコネクションが存在するか検索する（Ｓ６０２２３）。検索される接続中セッション管理テーブル５０４４が格納している情報は、図２２に示す通りである。接続中セッション管理テーブル６０２４は指定されたＰＤＮコネクションのエントリを有する（Ｓ６０２２３：ＹＥＳ）。
【０１７５】
シグナリングデータ３０３は、サービス識別子としてＡＰＮ＃２、端末種別としてＰＣを示す。制御部６０３は、ＱｏＳＩＤ＝ｙ及び課金ＩＤ＝Ｙのポリシ情報を選択する（Ｓ６０２２４）。ＰＣＲＦ１０４の制御部６０３により更新される接続中セッション管理テーブル６０２４は、図１３に示す情報を有する（Ｓ６０２２６）。
【０１７６】
＜（４）プライベート端末切断：ポリシ更新待ち合わせ機能オフ＞
次に、ポリシ更新待ち合わせ機能がオフである通信端末１０１に接続しているプライベート端末１０６が、その接続を切断する例を説明する。以下に説明する例は、図２３のコールフローにより一つのプライベート端末１０６が通信端末１０１に接続している状態において、そのプライベート端末１０６が接続を切断する。
【０１７７】
図２５は、ポリシ更新待ち合わせ機能がＯＦＦの通信端末１０１からの、プライベート端末切断のコールフローの一例を示す。図２３のコールフローが実施された後、テザリング機能によって通信端末１０１と接続中のプライベート端末１０６（プライベート端末識別子＝物理アドレス＃１）がテザリング機能によって接続を切断する（Ｓ８０１）。通信端末１０１は、プライベート端末１０６の切断に応答して、制御処理フローＦの処理Ｓ８０２を行う。処理Ｓ８０２については後述する。
【０１７８】
通信端末１０１は、制御処理フローＦの処理Ｓ８０２において、シグナリングデータ３２１を、アクセス網１０２へ送信する。シグナリングデータ３２１は、ポリシ更新要求と、テザリング用ＰＤＮコネクション（＃２）を使用している全ての接続中プライベート端末１０６の情報を含む。本例において、シグナリングデータ３２１が含む端末情報は、ユーザ識別子（ＩＭＳＩ＃１）、サービス識別子（ＡＰＮ＃１）、端末種別（無効値）、ＰＤＮコネクション識別子（＃２）を示す。端末種別（無効値）は、接続しているプライベート端末１０６が存在しないことを示す。
【０１７９】
アクセス網１０２は、シグナリングデータ３２１を、シグナリングデータ３２２としてゲートウェイ１０３へ転送する。ゲートウェイ１０３は、制御処理フローＢの処理Ｓ８０３を実行し、シグナリングデータ３２３をＰＣＲＦ１０４へ送信する。シグナリングデータ３２３は、シグナリングデータ３２１と同一の端末情報を含む。
【０１８０】
ＰＣＲＦ１０４は、制御処理フローＣの処理Ｓ８０４を実行し、シグナリングデータ３０１の端末情報に対応するポリシ情報とＰＤＮコネクションの識別子とを含めて、シグナリングデータ３２４をゲートウェイ１０３へ送信する。
【０１８１】
ゲートウェイ１０３は、制御処理フローＢの処理Ｓ８０３において、ＰＣＲＦ１０４から受信したポリシ情報を適用し、当該ポリシ情報及びＰＤＮコネクションの識別子を含むシグナリングデータ３２５をアクセス網１０２へ送信する。
【０１８２】
アクセス網１０２は、ゲートウェイ１０３から受信したポリシ情報を必要に応じて適用し、当該ポリシ情報及びＰＤＮコネクションの識別子を含むシグナリングデータ３２６を通信端末１０１へ送信する。
【０１８３】
通信端末１０１は、シグナリングデータ３２６の応答としてシグナリングデータ３２７をアクセス網１０２へ送信する。アクセス網１０２はシグナリングデータ３２５の応答としてシグナリングデータ３２８をゲートウェイ１０３へ送信する。ゲートウェイ１０３はシグナリングデータ３２４の応答としてシグナリングデータ３２９をＰＣＲＦ１０４へ送信する。
【０１８４】
次に、図２５のコールフローにおける、通信端末１０１による制御処理フローＦの処理Ｓ８０１を、図２４のフローチャートを参照して説明する。通信端末１０１の制御部４０４は、接続中プライベート端末管理テーブル４０３１を更新する（Ｓ１０１３２）。更新後の接続中プライベート端末管理テーブル４０３１は、図６に示す通りである。ポリシ更新待ち合わせ機能はオフであり（Ｓ１０１３３：ＮＯ）、制御部４０４は、シグナリングデータ３２１をアクセス網１０２に送信する。
【０１８５】
次に、図２５のコールフローにおける、ゲートウェイ１０３による制御処理フローＢの処理Ｓ８０３を、図８のフローチャートを参照して説明する。以下においては、図５のコールフロー（プライベート端末接続：ポリシ更新待ち合わせ機能オフ）における制御処理フローＢの処理Ｓ５０８との相違点を主に説明する。
【０１８６】
処理Ｓ８０３において、シグナリングデータ３２２、３２３、３２４、３２５、３２８、３２９は、それぞれ、処理Ｓ５０８におけるシグナリングデータ２０４、２０５、２０６、２０７、２１０、２１１に対応する。
【０１８７】
ゲートウェイ１０３の制御部５０５が通信端末１０１から受信したシグナリングデータ３２２は、ＩＭＳＩ＃１、ＡＰＮ＃２、端末種別（無効値）を示す。制御部５０５は、接続中セッション管理テーブル５０４４において、指定された接続中テザリング用ＰＤＮコネクションが存在するか検索する（Ｓ５０５０３）。検索される接続中セッション管理テーブル５０４４が格納している情報は、図１０に示す通りである。
【０１８８】
接続中セッション管理テーブル５０４４は指定されたＰＤＮコネクションのエントリを有する（Ｓ５０５０３：ＹＥＳ）。また、当該ＰＤＮコネクションについてＰＣＲＦ連携が設定されている（Ｓ５０５０４：ＹＥＳ）。
【０１８９】
制御部５０５がＰＣＲＦ１０４へ送信するシグナリングデータ３２３は、ＩＭＳＩ＃１、ＡＰＮ＃２、端末種別（無効値）を示す（Ｓ５０５０６）。制御部５０５がＰＣＲＦ１０４から受信するシグナリングデータ３２４は、ＩＭＳＩ＃１、ＡＰＮ＃２、端末種別（無効値）に対応するポリシ情報を示す（Ｓ５０５０８）。制御部５０５が受信したポリシ情報を使用して更新した接続中セッション管理テーブル５０４４は、図９に示す情報を有している（Ｓ５０５０９）。
【０１９０】
次に、図２５のコールフローにおける、ＰＣＲＦ１０４による制御処理フローＣの処理Ｓ８０４を、図１１のフローチャートを参照して説明する。以下においては、図５のコールフロー（プライベート端末接続：ポリシ更新待ち合わせ機能オフ）における制御処理フローＣの処理Ｓ５０９との相違点を主に説明する。処理Ｓ８０４において、シグナリングデータ３２３、３２４、３２９は、それぞれ、処理Ｓ５０９におけるシグナリングデータ２０５、２０６、２１１に対応する。
【０１９１】
ＰＣＲＦ１０４の制御部６０３がゲートウェイ１０３から受信したシグナリングデータ３２３は、ＩＭＳＩ＃１、ＡＰＮ＃２、端末種別（無効値）を示す。制御部６０３は、接続中セッション管理テーブル６０２４において、指定された接続中テザリング用ＰＤＮコネクションが存在するか検索する（Ｓ６０２０２）。検索される接続中セッション管理テーブル５０４４が格納している情報は、図１３に示す通りである。接続中セッション管理テーブル６０２４は指定されたＰＤＮコネクションのエントリを有する（Ｓ６０２０３：ＹＥＳ）。
【０１９２】
シグナリングデータ３２３は、サービス識別子としてＡＰＮ＃２、端末種別として無効値を示す。制御部６０３は、ＱｏＳＩＤ＝ｘ及び課金ＩＤ＝Ｘのポリシ情報（テザリングデフォルトのポリシ情報）を選択する（Ｓ６０２０４）。ＰＣＲＦ１０４の制御部６０３により更新される接続中セッション管理テーブル６０２４は、図１２に示す情報を有する（Ｓ６０２０６）。
【０１９３】
以上、本実施形態により、通信ネットワークに接続中の１つの通信端末の下流にプライベート網を構成し、そのプライベート網にプライベート端末が接続する場合において、当該通信ネットワークは、プライベート端末の種別に応じて、適切なポリシ制御を実施することができる。
【０１９４】
本実施形態により、通信端末に接続するプライベート端末の種別の変化に対応して、当該通信ネットワークは動的かつ適切にポリシを制御することが可能となる。また、通信ネットワークにおいて、通信端末に異なる端末種別のプライベート端末が接続し、テザリング機能に対するＰＤＮコネクションに複数種別のプライベート端末の通信データが含まれる場合においても、当該通信ネットワークは、適切なポリシ制御を行うことができる。
【０１９５】
本実施形態のポリシ更新待ち合わせ機能により、短い時間にプライベート端末と通信端末の間の接続／切断が行われても、ポリシ制御のための制御信号の送受信によるネットワーク内の通信負荷及び通信端末のバッテリー消費を抑制することができる。
【０１９６】
前回のポリシ更新要求の送信からの経過時間と接続プライベート端末の構成変化の一方の条件満たされると新たなポリシ更新要求を送信することで、いたずらに長い時間ポリシ更新がされないことを防ぐと共に、ユーザ操作によらない不足の接続／切断によるポリシ更新処理の回数を抑制することができる。
【０１９７】
なお、本発明は上記例に限定されるものではなく、変形例が含まれる。例えば、上記ポリシ更新待ち合わせ機能は、時間と接続／切断数の二つの条件を使用する。他のポリシ更新待ち合わせ機能の例は、ゲートウェイ１０３は、それらの一方のみを使用してもよい。
【０１９８】
他のポリシ更新待ち合わせ機能の例は、プライベート端末の接続／切断回数とは異なる接続中プライベート端末構成変化の条件を使用してもよい。例えば、ポリシ更新待ち合わせ機能は、前回のポリシ更新要求時の接続中プライベート端末の種別と、現在の接続中プライベート端末の種別との間において異なる種別の数、を使用してもよい。
【０１９９】
上記例は、一回のシグナリングデータの送信において、全ての接続中プライベート端末の種別を通知する。これにより、ゲートウェイ１０３及びＰＣＲＦ１０４での接続中プライベート端末の管理が不要である。これと異なる例は、接続中プライベート端末種別の旋回からの変化のみを通知してもよい。
【０２００】
上記例は、一つのテザリング用ＰＤＮコネクションに全ての接続中プライベート端末１０６のデータを含めるが、複数のテザリング用ＰＤＮコネクションに異なるプライベート端末１０６のデータを含めてもよい。
【０２０１】
上記例は、複数の端末種別から選択した一つの端末種別に関連付けられている通信ポリシを選択する。これにより、最も重要な端末種別に対する通信ポリシを適用できる。他の例は、通信ポリシ管理情報において複数の種別のグループと通信ポリシとを関連づけ、通信端末１０１から受信した端末種別グループに対応する通信ポリシを選択してもよい。
【０２０２】
上記例は本発明を分かりやすく説明するために詳細に説明したものであり、必ずしも説明したすべての構成を備えるものに限定されるものではない。また、ある実施例の一部を他の実施例の一部で置き換えることが可能であり、また、ある実施例の他の実施例の一部を加えることも可能である。また、各実施例の一部について、他の構成の追加・削除・置換をすることが可能である。
【０２０３】
また、上記の各構成・機能・処理部等は、それらの一部又は全部を、例えば集積回路で設計する等によりハードウェアで実現してもよい。また、上記の各構成、機能等は、プロセッサがそれぞれの機能を実現するプログラムを解釈し、実効することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード等の記録媒体に置くことができる。
【符号の説明】
【０２０４】
１０１  通信端末、１０２  アクセス網、１０３  ゲートウェイ、１０４  ＰＣＲＦ（Ｐｏｌｉｃｙ  ａｎｄ  Ｃｈａｒｇｉｎｇ  Ｒｕｌｅ  Ｆｕｎｃｔｉｏｎ）、１０５  ＰＤＮ（Ｐａｃｋｅｔ  Ｄａｔａ  Ｎｅｔｗｏｒｋ）、１０６  プライベート端末、２０１〜２３３、３０１〜３２９  シグナリングデータ、４０１、４０２  ネットワークＩＦ、４０３  記憶部、４０４  制御部、５０１〜５０３  ネットワークＩＦ、５０４  記憶部、５０５  制御部、  ６０１  ネットワークＩＦ、６０２  記憶部、６０３  制御部、４０２２  ポリシ更新待ち合わせ機能情報、４０３１  接続中プライベート端末管理テーブル、５０４１  ポリシ管理テーブル、５０４２  ＱｏＳ管理テーブル、５０４３  課金管理テーブル、５０４４  接続中セッション管理テーブル、６０２１  ポリシ管理テーブル、６０２２  ＱｏＳ管理テーブル、６０２３  課金管理テーブル、６０２４  接続中セッション管理テーブル
【図１】
2015005849.tif 000003
【図２】
2015005849.tif 000004
【図３】
2015005849.tif 000005
【図４】
2015005849.tif 000006
【図５】
2015005849.tif 000007
【図６】
2015005849.tif 000008
【図７】
2015005849.tif 000009
【図８】
2015005849.tif 000010
【図９】
2015005849.tif 000011
【図１０】
2015005849.tif 000012
【図１１】
2015005849.tif 000013
【図１２】
2015005849.tif 000014
【図１３】
2015005849.tif 000015
【図１４】
2015005849.tif 000016
【図１５】
2015005849.tif 000017
【図１６】
2015005849.tif 000018
【図１７】
2015005849.tif 000019
【図１８】
2015005849.tif 000020
【図１９】
2015005849.tif 000021
【図２０】
2015005849.tif 000022
【図２１】
2015005849.tif 000023
【図２２】
2015005849.tif 000024
【図２３】
2015005849.tif 000025
【図２４】
2015005849.tif 000026
【図２５】
2015005849.tif 000027